(57)【要約】【課題】  揺動ギア支板と揺動ギアに動力を伝達させる伝達ギアを組み付ける動作を、容易な方法で行うことができるようにした揺動ギア機構を提供する。【解決手段】  揺動ギア支板は伝達ギアの両側面を覆うように配置され、揺動ギア支板の両側面には貫通穴を有し、少なくとも一方の穴径は前記伝達ギアの外径よりも大きい。【選択図】  図４
2007127229.tif 000002
【特許請求の範囲】
【請求項１】
動力を伝達する伝達軸に固定された伝達ギアと、該伝達ギアから動力を伝達され、揺動自在に支持される揺動ギアと、前記伝達ギアと前記揺動ギアを支持するとともに前記伝達軸を揺動支点とする揺動ギア支板と、該揺動ギア支板に固定され前記伝達軸を支持する軸受けとを有し、
前記揺動ギア支板は前記伝達ギアの両側面を覆うように配置され、該揺動ギア支板の両側面には貫通穴を有し、少なくとも一方の穴径は前記伝達ギアの外径よりも大きいことを特徴とする揺動ギア機構。
【請求項２】
前記軸受けの外周面が前記揺動ギア支板の回動軸であることを特徴とする請求項１に記載の揺動ギア機構。
【請求項３】
前記軸受けの一部に突起を設け、前記揺動ギア支板の揺動を規制することを特徴とする請求項１又は２に記載の揺動ギア機構。
【発明の詳細な説明】
【技術分野】
【０００１】
本発明は、駆動源からの動力を伝達させるギア機構に関する。
【背景技術】
【０００２】
一般に、複写機、ファクシミリ、プリンタ、あるいは印刷機などのような電子写真方式を採用した各種画像形成装置では、画像形成部の感光ドラム（像担持体）上に形成されたトナー画像を、記録紙等のシート状記録媒体の片面に対して転写して定着する構成になされている。そのときのシート状記録媒体は、給紙装置に設けられた用紙トレイ上に積層状に蓄えられた状態から適宜のタイミングで用紙搬送路内に送り出されていき、その送り出されたシート状記録媒体に対して画像形成が行われた後に装置本体の排紙部に配置された排紙ローラの回転搬送作用によって排紙トレイ上に排出されていくようになっている。
【０００３】
これらの画像形成装置では、上記シート状記録媒体の両面に対して画像を形成したい場合には、ユーザーが片面画像形成モードから両面画像形成モードに切り替えることによって、画像形成部において片面側に画像を形成されたシート状記録媒体が、直ちに排出されることなく逆送されて両面搬送路に送り込まれていき、その両面搬送路を通してシート状記録媒体の表裏が反転されるようにして画像形成部に再び投入されるようになっている。
【０００４】
このとき、上述した用紙搬送路や両面搬送路の紙詰まりしたシート状記録媒体を取り除くために、装置本体の側面などの少なくとも１部が回転軸により回動可能に支持されるように構成されており、両面搬送機構へ動力源から動力を伝達するギアは離間する。この場合、シート状記録媒体が両面搬送路を搬送されるときのみ駆動源からの動力を伝達させる為に、揺動ギアを用いる。前記揺動ギアを支持する揺動ギア支板と、前記揺動ギアに動力を伝達させる伝達ギアは同軸上に存在している。
【０００５】
前記揺動ギア支板と、前記揺動ギアに前記伝達ギアを軸に組み付けるには、前記揺動ギア支板の間に前記揺動ギアに伝達ギアを挟んだ状態で、それぞれの軸穴を合わせて軸を通す必要があった。
【特許文献１】特開平11-223993
【発明の開示】
【発明が解決しようとする課題】
【０００６】
ところが、ギアを挟んだ状態で揺動ギア支板と伝達ギアに軸を通す際に軸の位置が合わずに組み付けるのに時間がかかったり、部品を落として製品を傷つける問題があった。
【０００７】
そこで本発明は、上記問題点に鑑みてなされたもので、揺動ギア支板と揺動ギアに動力を伝達させる伝達ギアを組み付ける動作を、容易な方法で行うことができるようにした揺動ギア機構を提供することを目的とする。
【課題を解決するための手段】
【０００８】
上記課題を解決するために、本発明は、動力を伝達する伝達軸に固定された伝達ギアと、該伝達ギアから動力を伝達され、揺動自在に支持される揺動ギアと、前記伝達ギアと前記揺動ギアを支持するとともに前記伝達軸を揺動支点とする揺動ギア支板と、該揺動ギア支板に固定され前記伝達軸を支持する軸受けとを有し、
前記揺動ギア支板は前記伝達ギアの両側面を覆うように配置され、該揺動ギア支板の両側面には貫通穴を有し、少なくとも一方の穴径は前記伝達ギアの外径よりも大きいことを特徴とする揺動ギア機構。
【０００９】
また、軸受けの外周面が前記揺動ギア支板の回動軸であることを特徴とすることを特徴とする揺動ギア機構。
【００１０】
また、軸受けの一部に突起を設け、前記揺動ギア支板の揺動を規制することを特徴とする揺動ギア機構。
【発明の効果】
【００１１】
このような構成を有する揺動ギア機構によれば、部品の簡素化を実現し、揺動ギア支板と伝達ギアを組み付ける動作を、容易な方法で確実に行うことができる。
【発明を実施するための最良の形態】
【００１２】
以下、本発明の実施形態を図面に基づいて詳細に説明するが、それに先立って、本発明を適用する画像形成装置の一例として、マルチファンクションプリンタを例にとって全体構造を概説しておく。
【００１３】
図１に示されているマルチファンクションプリンタ１０においては、例えば外部のコンピュータから送られてくる画像情報や原稿読み取り部２５で取り込んだ画像情報が、画像処理手段によって受信されると、その受信された画像情報は、レーザ発光書込部１１により光変調情報１１ａに変換され射出される。レーザ発光書込部１１から射出された光変調情報１１ａは、紙面垂直方向に走査されながら、プロセスカートリッジ１２内に像担持体として設けられた感光ドラム１２１上にスポット状に結像される。その回転されることによって副走査方向に移動される感光ドラム１２１上に照射された光スポットは、主走査方向（軸方向）に往復走査され、それによって当該感光ドラム１２１上に、上述した原稿画像情報に対応した静電潜像が形成される。そして、その感光ドラム１２１上の静電潜像に対して、同じくプロセスカートリッジ１２内に一体的に設けられた現像装置１２２から現像剤（トナー）が供給されることによって未定着トナー像が形成されるようになっている。
【００１４】
このとき、上述したプロセスカートリッジ１２は、感光ドラム１２１を含むクリーナー容器１２３と現像装置１２２が図示を省略した適宜の着脱機構を介して、略水平方向（図示前後方向）に移動されることにより個々に着脱される構成になされている。
【００１５】
一方、装置本体部の下部側には、規定のサイズに裁断された記録紙等のシート状記録媒体を給送するメイン給紙ユニット１３が配置されている。このメイン給紙ユニット１３を構成している箱状のカセット収容体１３ａは、装置本体に対して図示前後方向に着脱自在となるように装着されており、そのカセット収容体１３ａの内部に設けられた中支持板１３ｂの上面側に対して、図示を省略した適宜のサイズの記録紙が積層状に蓄えられるようになっている。そして、そのシート状記録媒体の積層方向における最下面が上記中支持板１３ｂにより支持されるとともに、その中支持板１３ｂが給紙加圧バネ１３ｃにより上方側に向かって付勢されていることによってシート状記録媒体が上方に持ち上げられた状態に保持されるようになっている。
【００１６】
また、上述したカセット収容体１３ａの内部側の上方位置には、略「く」の字状に屈曲した板状部材からなるセンサフラグ１３ｄが上下方向に揺動するように配置されており、そのセンサフラグ１３ｄの屈曲下端部分が、上記カセット収容体１３ａの内部に蓄えられたシート状記録媒体の最上面位置に自重で当接することによって、当該カセット収容体１３ａ内におけるシート状記録媒体の有無が検出されるようになっている。
【００１７】
さらに、上記カセット収容体１３ａの紙送り方向前端部分（図示左端部分）には、半月状部材から形成された給紙ローラ１３ｅが設けられている。この給紙ローラ１３ｅの回転軸に対しては、図示を省略した欠け歯ギアとソレノイドのオン・オフ制御を介して、適宜のタイミングで回転駆動力が断続されるように構成されている。そして、上述した中支持板１３ｂにより上方に持ち上げられるようにして支持されたシート状記録媒体の積層方向における最上面が、上記給紙ローラ１３ｅの外周面に対して下方側から当接された状態で給紙動作が実行されるようになっている。
【００１８】
また、上述した中支持板１３ｂの紙送り方向前端縁（図示左端縁）に対して前方側に隣接するようにしてフィードローラ１３ｆと上記フィードローラ１３ｆの外周面に対して下方側から圧接するように紙送り方向と常時逆方向に回転するリタードローラ１３ｇが配置されている。
【００１９】
そして、このメイン給紙ユニット１３におけるカセット収容体１３ａ内に積層されたシート状記録媒体は、給紙ローラ１３ｅの回転によってフィードローラ１３ｆとリタードローラ１３ｇの間の圧接ニップ部を通過し、搬送ローラ対１３ｈ、１３ｉを介して給紙通路１４側に送り出されていき、その給紙通路１４に設けられた一対のレジストローラ１５ａ、１５ｂのニップ部に突き当てられることによって適宜のタイミングをとられながら、上述した感光ドラム１２１と対面する転写領域に送り込まれていく構成になされている。
【００２０】
このようなメイン給紙ユニット１３の左側には、給紙カセットと同じサイズの記録媒体に加えて給紙カセットとは異なるサイズのシート状記録媒体を給紙可能としたマルチ給紙ユニット１６が設けられている。このマルチ給紙ユニット１６は、マルチ用紙トレイ１６ａを開放することによって使用可能となる構成になされており、その開放されたマルチ用紙トレイ１６ａ上に各種のシート状記録媒体を積層状に積載する。
【００２１】
このマルチ用紙トレイ１６ａは、紙送り方向の前方側（図示右方側）に向かって、緩やかな傾斜をなすようにして延在しているが、当該マルチ用紙トレイ１６ａの延在方向に連続するようにして回動可能なマルチ中板１６ｂが配置されている。マルチ中板１６ｂの前端部分（図示右端部分）には、円筒状部材から形成されたマルチ給紙ローラ１６ｃが設けられている。このマルチ給紙ローラ１６ｃの回転軸には、図示を省略した電磁クラッチを介して駆動源が接続されており、その電磁クラッチのオン・オフ動作によって、上記マルチ給紙ローラ１６ｃに対して適宜のタイミングで回転駆動力が断続されるように回転制御が行われている。
【００２２】
さらに、上述したマルチ中板１６ｂの紙送り方向前端縁（図示右端縁）の前方側に隣接するようにして、薄板状部材からなる分離パッドが粘着された分離揺動台１６ｄが、上記マルチ給紙ローラ１６ｃの外周面に対して下方側から圧接するように配置されている。この分離揺動台１６ｄは、上述したマルチ給紙ローラ１６ｃの直下位置において上下動するように配置されており、その分離揺動台１６ｄが、分離加圧バネ１６ｅにより上方に向かって付勢されることによって、上述したマルチ給紙ローラ１６ｃの下面側に分離揺動台１６ｄが常時圧接された状態に維持されている。
【００２３】
そして、上述したマルチ用紙トレイ１６ａ上に積載された各種シート状記録媒体は、上記マルチ給紙ローラ１６ｃの回転駆動によって、前記分離パッドとの間のニップ部を通過して一枚ずつ分離された後、前述した給紙通路１４側に向かって送り出されていき、既に述べたメイン給紙ユニット１３のカセット収容体１３ａ の場合と同様にして、一対のレジストローラ１５ａ，１５ｂに突き当てられて適宜のタイミングをとられながら感光ドラム１２１と対面する転写領域に送り込まれていくようになっている。
【００２４】
このようなマルチ用紙トレイ１６ａ上にシート状記録媒体をセットするにあたっては、図示しないカムがマルチ中板１６ｂを下方に押し下げて解除状態とし、そのマルチ中板１６ｂをマルチ給紙ローラ１６ｃから下方側に離間させることによって、これら両部材１６ｂ，１６ｃどうしの間に適宜の隙間を形成することが必要となる。そして、このようにマルチ給紙ローラ１６ｃに対してマルチ中板１６ｂを解除状態とするために、当該マルチ中板１６ｂの全体が上下方向に回動することによって上下に移動する構成になされている。
【００２５】
すなわち、上述したマルチ中板１６ｂの両側縁部分には、回動ピン１６ｆが、両側外方（図１の紙面垂直方向）に向かって所定量だけ突出するように設けられており、それらの両回動ピン１６ｆが、フレームに設けられた軸受部に対して回動自在に装着されている。これによって、上記両回動ピン１６ｆを中心にして、上述したマルチ中板１６ｂの全体が上下方向に回動可能となるように支持されている。さらに、上記マルチ中板１６ｂの紙送り方向前端側部分（図示右端側部分）における直下位置には、トレイ加圧バネ１６ｇが圧縮状態で装着されており、そのトレイ加圧バネ１６ｇが、上記マルチ中板１６ｂの下面側に圧接していることによって、そのマルチ中板１６ｂの前端側部分（図示右端側部分）が上方側に向かって付勢され押し上げられる構成になされている。
【００２６】
そして、そのマルチ用紙トレイ１６ａ上に各種のシート状記録媒体がセットされた後に、図示を省略した欠け歯ギアとソレノイドのオン・オフ制御を介して、適宜のタイミングでマルチ中板１６ｂの全体が上下方向に回動可能する。上記マルチ中板１６ｂの上方付勢力によって、シート状記録媒体の積層方向における最上面が上述したマルチ給紙ローラ１６ｃの外周面に対して下方側から圧接されることとなり、そのようにシート状記録媒体がマルチ給紙ローラ１６ｃに対して圧接された加圧状態で、当該マルチ給紙ローラ１６ｃが回転駆動されることによってシート状記録媒体の給紙動作が実行されるようになっている。
【００２７】
一方、上述した感光ドラム１２１の転写領域には、当該感光ドラム１２１の表面に接触するようにして接触転写体としての転写ローラ１７が接触するように配置されている。この転写ローラ１７には転写バイアスが印加され、その転写バイアスによって、上述した感光ドラム１２１上に形成された未定着トナー像がシート状記録媒体上に静電的に転写されるようになっている。さらに、転写後において上記感光ドラム１２１上に残留するトナーは、当該感光ドラム１２１の表面上に圧接するように配置されたクリーニングブレード１２４の摺接力により掻き落とされてクリーナー容器１２３に収容されるようになっている。
【００２８】
さらに、上述した転写作用によって未定着トナーを担持したシート状記録媒体は、上述したプロセスカートリッジ１２の上方位置に隣接するように配置された定着装置１８に向かって搬送される。当該定着装置１８には、加熱手段としての定着フィルム１８ａが環状をなすように配置されているとともに、その定着フィルム１８ａに対面するようにして加圧ローラ１８ｂが配置されている。そして、それらの定着フィルム１８ａおよび加圧ローラ１８ｂのニップ部における加圧・加熱作用に基づく定着作用によって、上記シート状記録媒体上の未定着トナーが融解され、シート状記録媒体上にトナー像が固定され定着されるようになっている。
【００２９】
また、このような加熱定着動作によってトナー像を固定されたシート状記録媒体は、定着装置１８の出口部から装置上方側に配置された排紙部２０に設けられた排紙通路２１内に送り出された後、その排紙通路２１に設けられた排紙ローラ２２の排出搬送作用によって、装置本体部の上位置に設けられた排紙トレイ２３上に排出されるように構成されている。
【００３０】
さらに、このような構成を備えた装置本体の左側には、両面搬送路３０が配置されている。片面側に所望の画像を形成された記録紙などのシート状記録媒体が、排紙口切り換え板２４により排紙反転路３１に搬送される。搬送されたシート状記録媒体は図示を省略したモータの制御により排紙反転ローラ３２が適宜に反転し、搬送路切り換え板３３により両面搬送路３０に搬送される構成になっている。
【００３１】
上述した両面搬送路３０の途中位置には、図示上方側から下方側に向かうシート状記録媒体の搬送方向に沿って、複数（２対）の両面搬送ローラ３４・３５が順に設けられており、それらの各両面搬送ローラ３４・３５の搬送作用によって、両面搬送路３０内に送り込まれたシート状記録媒体が、表裏を反転されるようにして上述した給紙通路１４に再び送り込まれるように搬送されるようになっている。
【００３２】
ここで、図２から図５を用いて本発明の実施形態の詳細を説明する。駆動源からの動力を駆動離間機構に伝達する伝達ギア４１・揺動ギア４２・揺動ギア支板４３・軸受け４４は図２に示すように構成されている。
【００３３】
このとき、軸受け４４の中心と軸４５が同軸になるように軸受け４４は側板４６に組み付いている。それぞれの径を比較すると、図３に示すように前記揺動ギア支板４３の大きい方の穴径をφD１・伝達ギア４１の外径をφD２とすると、φD１＞φD２であるため、伝達ギア４１は前記揺動ギア支板４３より先に軸４５に組み付けることができ、伝達ギア４１が組み付いた状態のままで揺動ギア支板４３を組み付けることが可能である。
【００３４】
また、図４に示すように、軸受け４４の外周面が前記揺動ギア支板４３の回転軸となっており、内径は伝達ギア４１の軸受けとなっている。
【００３５】
更に、図５に示すように、軸受け４４の一部を突起５０させ、前記揺動ギア支板４３の揺動を規制する構成になっている。
【００３６】
更にまた、図６に示すように、伝達ギア４１は図示されていない側板の反対側の伝達ギア４１と同軸上に存在するギア４７から動力を伝達される構成となっている。
【００３７】
以上、発明の実施形態を具体的に説明したが、本発明は、上記実施形態に限定されるものではなく、その要旨を逸脱しない範囲で種々変形可能であることはいうまでもない。
【００３８】
例えば、上述した実施形態は、マルチファンクションプリンタに対して本発明を適用したものであるが、シングルファンクションプリンタ等の他の画像形成装置に対しても本発明は同様に適用することができるものである。
【産業上の利用可能性】
【００３９】
以上述べた本発明にかかる揺動ギア機構は、プリンタなどの画像形成装置を始めとして、複写機等の多種多様な画像形成装置に対して広く適用することが可能である。
【図面の簡単な説明】
【００４０】
【図１】プリンタの内部概略構造を表した断面説明図である。
【図２】本発明を適用した揺動ギア機構の外観斜視説明図である。
【図３】本発明を適用した揺動ギア機構の断面説明図である。
【図４】本発明を適用した揺動ギア機構の外観斜視説明図である。
【図５】本発明を適用した揺動ギア機構の外観斜視説明図である。
【図６】本発明を適用した揺動ギア機構の外観斜視説明図である。
【符号の説明】
【００４１】
１０  マルチファンクションプリンタ（画像形成装置）
１１  レーザー発光書込部
１２  プロセスカートリッジ
１２１  感光ドラム
１２２  現像装置
１３  メイン給紙ユニット
１４  給紙通路
１５  レジストローラ
１６  マルチ給紙ユニット
１６ｃ  マルチ給紙ローラ
１６ｈ  マルチ給紙ローラ軸
１７  転写ローラ
１８  定着装置  
２０  排紙部
２１  排紙通路
２２  排紙ローラ
２３  排紙トレイ
２４  排紙口切り換え板
２５  原稿読み取り部
３０  両面搬送路
３１  反転搬送通路
３２  排紙反転ローラ
３３  搬送路切り換え板
３４・３５  両面搬送ローラ
４０  左扉
４１  伝達ギア
４２  揺動ギア
４３  揺動ギア支板
４４  軸受け
４５  軸
４６  側板
４７  伝達ギア４１に動力を伝達するギア
５０  突起
【図１】
2007127229.tif 000003
【図２】
2007127229.tif 000004
【図３】
2007127229.tif 000005
【図４】
2007127229.tif 000006
【図５】
2007127229.tif 000007
【図６】
2007127229.tif 000008